(57)【要約】      （修正有）【課題】部品の制御分配システムを構成する振動ボウルの信頼性を改善する。【解決手段】制御分配システムは、壁６を有する囲い４がある振動ボウル３と、部品２を自動組み立て設備に分配する連接式グリップアーム１０とを有し、前記壁６は前記振動ボウル３の回転軸のまわりに延在しており、前記振動ボウル３内に前記部品２がバルク状で配置され、前記振動ボウル３には前記壁６の内面に沿って延在している上り坂のらせん状の傾斜ランプがあり、上側エッジ７は前記傾斜ランプの出口Ｓを形成しており、前記部品２は前記傾斜ランプに沿って供給プラットホーム８の方へと動くことができ、前記連接式グリップアーム１０によって把持される前に少なくとも１つの前記部品２が前記供給プラットホーム８上にて配置され、前記供給プラットホーム８は前記出口Ｓに接続されており、前記振動ボウル３の前記囲い４の上又は内部に延在している。【選択図】図２
2019112228.tif 000002
【特許請求の範囲】
【請求項１】
部品（２）、特に、計時器用部品、の制御された分配のための制御分配システム（１）であって、
これらの部品、特に、計時器用部品、から作られる物の全体又は一部を自動的に組み立てる自動組み立て設備（１００）のためのものであり、
壁（６）を有する囲い（４）がある振動ボウル（３）と、及び
前記部品（２）を前記自動組み立て設備（１００）に分配するように設けられる連接式グリップアーム（１０）と
を有し、
前記壁（６）は、前記振動ボウル（３）の回転軸のすぐ近くにて回転軸のまわりに延在しており、前記振動ボウル（３）内に前記部品がバルク状で配置され、
前記振動ボウル（３）には、前記振動ボウル（３）の基部と上側エッジ（７）の間にて前記壁（６）の内面に沿って延在している上り坂のらせん状の傾斜ランプ（５）があり、前記上側エッジ（７）は、前記傾斜ランプ（５）の出口（Ｓ）を形成しており、
前記部品（２）は、この傾斜ランプ（５）に沿って供給プラットホーム（８）、特に、スライド、の方へと動くことができ、前記連接式グリップアーム（１０）によって把持される前に少なくとも１つの部品（２）が前記供給プラットホーム（８）上にて配置され、
前記供給プラットホーム（８）は、前記出口（Ｓ）に接続されており前記振動ボウル（３）の前記囲い（４）の上又は内部にて延在している
システム（１）。
【請求項２】
前記供給プラットホーム（８）は、前記振動ボウル（３）内において鉛直方向の軸を中心とした半径方向に延在しているか、
前記供給プラットホーム（８）は、前記振動ボウル（３）内において実質的に前記上側エッジ（７）から前記鉛直方向の軸まで延在しているか、あるいは
前記供給プラットホーム（８）は、鉛直方向の軸を中心とした半径方向に延在しており、かつ、前記傾斜ランプ（５）の前記出口（Ｓ）と、前記鉛直方向の軸を中心としてこの出口（Ｓ）の直径的に反対側にある前記上側エッジ（７）の領域との間に自由端がある
請求項１に記載のシステム（１）。
【請求項３】
前記供給プラットホーム（８）には、第１の部分（９ａ）と第２の部分（９ｂ）があり、特に、前記第１の部分（９ａ）の長さは、前記第２の部分（９ｂ）の長さよりも大きい又は実質的に大きい
請求項１又は２に記載のシステム（１）。
【請求項４】
前記第１の部分（９ａ）には、支持体を形成する平坦な上面（１１）があり、
前記連接式グリップアーム（１０）によって把持されるように前記支持体上を前記部品（２）が動くことができる
請求項３に記載のシステム（１）。
【請求項５】
前記第１の部分（９ａ）は、半径方向に、特に、まっすぐに、延在しており、
かつ、前記第１の部分（９ａ）の上面（１１）は、
前記振動ボウル（３）の前記上側エッジ（７）及び／又は前記振動ボウル（３）の前記囲い（４）の開口（１２）を含む平面内にあるか、あるいは
前記振動ボウル（３）の前記上側エッジ（７）及び／又は前記振動ボウル（３）の前記囲い（４）の開口（１２）を含む平面に平行又は実質的に平行な平面内にある
請求項４に記載のシステム（１）。
【請求項６】
前記供給プラットホーム（８）の前記第１の部分（９ａ）には、実質的にその自由端にある分配領域（１３）があり、
この分配領域（１３）に前記部品（２）が、前記連接式グリップアーム（１０）によって把持される前に、配置される
請求項３又は４に記載のシステム（１）。
【請求項７】
前記供給プラットホーム（８）の前記第１の部分（９ａ）には、前記分配領域（１３）にある前記部品（２）の存在を検出する検出デバイス（１４）がある
請求項６に記載のシステム（１）。
【請求項８】
前記供給プラットホーム（８）の前記第２の部分（９ｂ）には、リンク部分と２つのガイド部分（１５）がある
請求項３〜７のいずれかに記載のシステム（１）。
【請求項９】
前記リンク部分は、前記第１の部分（９ａ）の下面に機械的に接続されている
請求項８に記載のシステム（１）。
【請求項１０】
前記ガイド部分（１５）は、前記部品（２）を前記振動ボウル（３）の前記囲い（４）の方に導くように形成されており、
少なくとも１つの部品（２）が、この供給プラットホーム（８）の前記第１の部分（９ａ）に当初存在しており前記第１の部分（９ａ）から排出される
請求項８又は９に記載のシステム（１）。
【請求項１１】
前記振動ボウル（３）には、前記供給プラットホーム（８）の第１の部分（９ａ）の近くに形成された前記部品（２）を選別／選択する選別／選択デバイス（１６）がある
請求項１〜１０のいずれかに記載のシステム（１）。
【請求項１２】
前記振動ボウル（３）には、分配領域（１３）の上に配置された少なくとも２つの部品（２）を分離する分離デバイス（１７）がある
請求項１〜１０のいずれかに記載のシステム（１）。
【請求項１３】
前記部品（２）は、特に、ミリメートル級の大きさの軸対称の物から選ばれる部品である
請求項１〜１２のいずれかに記載のシステム（１）。
【請求項１４】
前記傾斜ランプ（５）には、前記部品（２）の進行の間にこの傾斜ランプ（５）上に前記部品（２）を維持する役割を果たす前記振動ボウル（３）の開口の方向に曲がっている又は実質的に曲がっている側方エッジ（２０）がある
請求項１〜１３のいずれかに記載のシステム（１）。
【請求項１５】
少なくとも１つの部品、特に、計時器用部品、から作られる物の全体又は一部の自動組み立て設備（１００）であって、
請求項１〜１４のいずれかに記載のシステム（１）を少なくとも１つ有する
自動組み立て設備（１００）。
【発明の詳細な説明】
【技術分野】
【０００１】
本発明は、部品、特に、計時器用部品、の少なくとも１つから作られる物の全体又は一部の自動組み立て設備のための、部品、特に、計時器用部品、の制御された分配のための制御分配システム、及びこのような自動組み立て設備に関する。
【背景技術】
【０００２】
従来技術において、部品を分配するシステムにおいて振動するボウルを用いることが知られている。この部品は、例えば、計時器の自動組み立て設備において用いられる計時器用部品である。このようなボウルは、伝統的には、一般的には軽く油を塗られた、前記の計時器用部品に対してこのボウルの鉛直方向の回転軸のまわりの回転運動を与える振動を発生させる支持体上にマウントされる。このような運動は、これらの計時器用部品をボウルの側壁にて形成された傾斜ランプに乗り上げさせ、この壁の頂上まで徐々に上がらせる。この構成において、この頂上に到来する部品は、ボウルの前記側壁に固定されつつ、この傾斜ランプの延長領域において形成された供給チャネル上に乗り上げることができる。この供給チャネルは、このボウルの鉛直方向の回転軸を含む面に垂直なこのボウルの周部の外壁に対する接線方向に平行な方向に長手方向にて延在している。このようなチャネルは、この壁の頂上にて形成されボウルの外側の方に延在している分配支持体を供給することを目的としており、このボウル上には、チャネルから到来しグリップアームによって把持されるべき部品が配置されており、計時器の全体又は一部の製造の前に、自動組み立て設備の組み立て装置に分配される。
【０００３】
しかし、このような計時器用部品を分配するシステムは、これらの部品が機能する形態を考えると信頼性を欠くことが多い。実際に、それらのシステムは、傾斜ランプ上の、又は供給チャネルにおいて、部品の過剰な蓄積に起因することがある不具合の影響を定期的に受ける。このような過剰な蓄積は、これらの軽く油が塗られた部品や不完全な幾何学的構成の部品によって発生するこのチャネルにおけるジャミングに起因している。このような状況では、システムを再び稼働させるために、手動介入が系統的に必要となる。
【０００４】
さらに、このような分配システムにおいて、グリップアームによって正しく把持されない計時器用部品は、振動ボウルの外側に系統的に落ち、このことによって、このような計時器の製造コストの些細ではない増加をもたらす損失を発生させてしまう。
【発明の概要】
【発明が解決しようとする課題】
【０００５】
このような状況で、本発明の目的の１つは、部品、特に、計時器用部品、の制御分配システムを構成する振動ボウルの信頼性を改善することによって従来技術の課題を克服することができるような制御分配システムを提案することである。
【課題を解決するための手段】
【０００６】
このために、本発明は、部品、特に、計時器用部品、の制御された分配のための制御分配システムに関し、これは、これらの部品、特に、計時器用部品、から作られる物の全体又は一部を自動的に組み立てる自動組み立て設備のためのものであり、
壁を有する囲いがある振動ボウルと、及び
前記部品を前記自動組み立て設備に分配するように設けられる連接式グリップアームと
を有し、
前記壁は、前記振動ボウルの回転軸のすぐ近くにて回転軸のまわりに延在しており、前記振動ボウル内に前記部品がバルク状で配置され、
前記振動ボウルには、前記振動ボウルの基部と上側エッジの間にて前記壁の内面に沿って延在している上り坂のらせん状の傾斜ランプがあり、前記上側エッジは、前記傾斜ランプの出口を形成しており、
前記部品は、この傾斜ランプに沿って供給プラットホーム、特に、スライド、の方へと動くことができ、前記連接式グリップアームによって把持される前に少なくとも１つの部品が前記供給プラットホーム上にて配置され、
前記供給プラットホームは、前記出口に接続されており前記振動ボウルの前記囲いの上又は内部にて延在している。
【０００７】
以下の特徴を有する他の実施形態がある。
−  前記供給プラットホームは、前記振動ボウル内において鉛直方向の軸を中心とした半径方向に延在している。
−  前記供給プラットホームは、前記振動ボウル内において実質的に前記上側エッジから前記鉛直方向の軸まで延在している。
−  前記供給プラットホームは、鉛直方向の軸を中心とした半径方向に延在しており、かつ、前記傾斜ランプの前記出口と、前記鉛直方向の軸を中心としてこの出口の直径的に反対側にある前記上側エッジの領域との間に自由端がある。
−  前記供給プラットホームには、第１の部分と第２の部分があり、特に、前記第１の部分の長さは、前記第２の部分の長さよりも大きい又は実質的に大きい。
−  前記第１の部分には、支持体を形成する平坦な上面があり、前記連接式グリップアームによって把持されるように、前記支持体上を前記部品が動くことができる。
−  前記第１の部分は、半径方向に、特に、まっすぐに、延在しており、かつ、前記第１の部分の上面は、前記振動ボウルの上側エッジ及び／又は前記振動ボウルの囲いの開口を含む平面内にある。
−  前記第１の部分は、半径方向に、特に、まっすぐに、延在しており、かつ、前記第１の部分の上面は、前記振動ボウルの上側エッジ及び／又は前記振動ボウルの囲いの開口を含む平面に平行又は実質的に平行な平面内にある。
−  前記供給プラットホームの前記第１の部分には、実質的にその自由端にある分配領域があり、この分配領域に前記部品が、前記連接式グリップアームによって把持される前に、配置される。
−  前記供給プラットホームの前記第１の部分は、前記分配領域にある前記部品の存在を検出する検出デバイスを有する。
−  前記供給プラットホームの前記第２の部分には、リンク部分と２つのガイド部分がある。
−  前記リンク部分は、前記第１の部分の下面に機械的に接続されている
−  前記ガイド部分は、前記部品を前記振動ボウルの囲いの方に導くように形成されており、少なくとも１つの部品が、この供給プラットホームの前記第１の部分に当初存在しており前記第１の部分から排出される。
−  前記振動ボウルには、前記供給プラットホームの第１の部分の近くに形成された前記部品を選別／選択する選別／選択デバイスがある。
−  前記振動ボウルは、前記分配領域の上に配置された少なくとも２つの部品を分離する分離デバイスを有する。
−  前記部品は、特に、ミリメートル級の大きさの軸対称の物から選ばれる部品である。
−  前記傾斜ランプには、前記部品の進行の間にこの傾斜ランプ上に前記部品を維持する役割を果たす前記振動ボウルの開口の方向に曲がっている又は実質的に曲がっている側方エッジがある。
【０００８】
本発明は、さらに、少なくとも１つの部品、特に、計時器用部品、から作られる物の全体又は一部の自動組み立て設備であって、前記の部品の制御分配システムを少なくとも１つ有するものに関する。
【０００９】
このような特徴のおかげで、振動ボウルにおける、部品、特に、計時器用部品、の循環を改善することができ、また、供給チャネルを不要として、カバーされていない供給プラットホームを設けることによって、これらの部品の選別を最適化することができる。また、供給プラットホーム上を進行し連接式グリップアームによって把持されなかった部品の系統的な復帰のおかげで、これらの部品の損失や損傷が抑えられ又は実際上なくなる。
【００１０】
図面を参照しながら例（これに制限されない）としてのみ与えられるいくつかの実施形態を読むことによって、本発明の他の特徴や利点が明らかになるであろう。
【図面の簡単な説明】
【００１１】
【図１】本発明の１つの実施形態に係る、計時器の全体又は一部の自動組み立て設備のための計時器用部品の制御分配システムに関連する概略図である。
【図２】本発明の実施形態に係る分配システムの振動ボウルの第１の変種の実施形態について上方から見た斜視図である。
【図３】本発明の実施形態に係る分配システムの振動ボウルの第２の変種の実施形態について上方から見た斜視図である。
【発明を実施するための形態】
【００１２】
図１を参照すると、部品２、特に、計時器用部品２、の制御分配システム１は、振動ボウル３と、連接式グリップアーム１０と、さらには、このシステム１の機能に全体的又は部分的に関わる制御ユニット２０とを有する。
【００１３】
本発明の本実施形態において、分配される部品２は、計時器用部品２である。なお、このシステム１によって任意のタイプの部品を分配することができることを理解することができるであろう。この部品が、特に、ミリメートル規模の大きさの物、特に、２０ｍｍよりも小さい大きさの物、である場合である。このようなシステム１は、自動組み立て設備１００の装置に、又は計時器の全体又は一部の自動組み立てラインに、計時器用部品２を分配するように設けられる。なお、このシステム１において分配される計時器用部品２は、好ましくは、ミリメートル的規模の、特に、２０ｍｍよりも小さい、大きさの軸対称である物である。
【００１４】
このシステム１において、ボウル３には、このボウル３の上側エッジ７によって形成される開口１２において開いている囲い４がある。このボウル３には、このボウル３の囲い４にアクセスすることを可能とする開口１２がある平面に垂直又は実質的に垂直である鉛直方向の回転軸がある。この構成において、囲い４には、例えば、前記計時器用部品２がバルク状で配置される皿の全体的な形態を与えるように、回転軸のすぐ近くにて回転軸のまわりに延在する壁６がある。このボウル３は、ここでは詳細に説明しない電気機械的要素によって、このボウル３の固定されたペデスタルに対して振動するようにされている。
【００１５】
このボウル３には、このボウル３の基部と上側エッジ７の間にて前記壁６の内面に沿って延在している上り坂のらせん状の傾斜ランプ５がある。このようなランプ５は、好ましくは、この壁６と一体的な部品として作られる。具体的には、この傾斜ランプ５には、このボウル３の基部に形成された入口と、及びこのボウル３の上側エッジ７にある出口Ｓとがある。このような傾斜ランプ５は、基部からこの傾斜ランプ５の出口Ｓの方に計時器用部品２が確実に進行することに貢献している。計時器用部品２は、当初この振動ボウル３内にバルク状で入れられ、傾斜ランプ５は、供給プラットホーム８へと続く。より正確には、電気機械的要素によって、振動ボウル３に対してその回転軸のまわりの振動運動を与えることが可能になる。これによって、振動ボウル３に収容された計時器用部品２を、この供給プラットホーム８の方に、特に、１つずつ、移動させることができる。なお、振動ボウル３の回転軸に垂直な傾斜ランプ５についての断面は、線形的ではない。実際に、この傾斜ランプ５には、囲い４にアクセスすることを可能とする振動ボウル３の開口１２の方向に曲がっている又は実質的に曲がっている側方エッジがある。このような曲がった側方エッジ２０は、この傾斜ランプ５上における計時器用部品２の進行の間に、計時器用部品２をこの傾斜ランプ５上に維持する役割を果たすことを目的としている。
【００１６】
この振動ボウル３において、スライドとも呼ばれる供給プラットホーム８は、傾斜ランプ５から到来する計時器用部品２を受けて、計時器の全体又は一部の自動組み立て設備１００における分配の前に、期待された姿勢になっていない計時器用部品２の選択／選別の役割を果たすように振動ボウル３において構成している。計時器用部品２が期待された姿勢になっていれば計時器用部品２が連接式グリップアーム１０によって最適に把持されることの確実性が増す。
【００１７】
このような供給プラットホーム８は、好ましくは、傾斜ランプ５の出口Ｓに固定された付加的な部品であり、振動ボウル３の壁に垂直又は実質的に垂直な角度を形成している。このボウル３において、この供給プラットホーム８は、この振動ボウル３の囲い４の上又は囲い４内にて延在している。より正確には、このプレゼンテーション要素は、この振動ボウル３において振動ボウル３の回転軸に対して半径方向に延在している。すなわち、このプレゼンテーション要素は、この振動ボウル３において実質的に上側エッジ７から前記回転軸まで半径方向に延在している。また、このプレゼンテーション要素は、この振動ボウル３内において回転軸に対して半径方向に延在しており、かつ、傾斜ランプ５の出口Ｓと、回転軸を中心としてこの出口Ｓの直径的に反対側にある上側エッジ７の領域との間に自由端がある。したがって、この構成において、この供給プラットホーム８の本体の全体が、このボウル３の囲い４の上又は囲い４の内部に配置されていることがわかるであろう。
【００１８】
このような供給プラットホーム８は、この振動ボウル３の機能の文脈内において異なる機能を有する第１及び第２の部分９ａ、９ｂを有する。この構成において、第１の部分９ａは、第２の部分９ｂの長さよりも大きい又は実質的に大きい長さを有する。
【００１９】
この第１の部分９ａは、好ましくは長方形の断面を有する、上面と下面があるプレートである。この上面と下面は、好ましくは、平坦である。具体的には、上面は、支持体を形成し、この支持体上を、傾斜ランプ５から到来する計時器用部品２が、グリップアーム１０によって把持されるようにするために、動くことができる。なお、このような上面には、この上面にて長手方向に延在している溝が形成されていることができ、これによって、グリップアーム１０による計時器用部品２の把持の前に、計時器用部品２の姿勢を合わせる役割を果たす。このような上面は、半径方向に、特に、まっすぐに、延在しており、かつ、外側面は、前記振動ボウル３の上側エッジ７及び／又は前記振動ボウル３の囲い４の開口１２を含む平面内にある。変種の実施形態の１つにおいて、この上面は、前記振動ボウル３の上側エッジ７、及び／又は前記振動ボウル３の囲い４の開口１２、を含む平面に平行又は実質的に平行な平面内に含まれる。この第１の部分９ａには、連接式グリップアーム１０によって把持されることになる部品のポジショニングをする領域が設けられた自由端がある。
【００２０】
この供給プラットホーム８において、第２の部分９ｂには、リンク部分と２つのガイド部分１５がある。この第２の部分９ｂには、２つのガイド部分１５のそれぞれがリンク部分と鈍角を形成しているような実質的に台形の形の断面がある。この構成において、リンク部分は、供給プラットホーム８の第１の部分９ａの下面に機械的に接続されており、ガイド部分１５は、このプラットホーム８から排出された一又は複数の計時器用部品２を、特に、下で説明する選別デバイスによって、導くために設けられる。これらのガイド部分１５によって、このような条件の下で、囲い４内におけるこれらの部品２の姿勢を合わせることが系統的に可能になる。これは、プラットホーム８の側方とは関係なく行われ、部品２が去って、この囲い４に到達することになる。
【００２１】
この供給プラットホーム８において、第１の部分９ａの下面は、溶接、接着結合又はネスティングによって第２の部分９ｂのリンク部分に機械的に接続されている。代替実施形態の１つにおいて、この下面は、これらの第１及び第２の部分９ａ、９ｂが一体鋳造されたユニットを形成するように、このリンク部分と一体的な部品として作られていることができる。
【００２２】
上記のように、振動ボウル３は、さらに、供給プラットホーム８の分配領域１３内に配置された計時器用部品２の存在を検出する検出デバイス１４を有する。このような検出器１４は、例えば、少なくとも１つの真空圧センサー及び／又は少なくとも１つの光センサーを有する。この存在検出器１４は、好ましくは、供給プラットホーム８に、特に、この分配領域に、配置される。
【００２３】
このボウル３は、プラットホームの入口の第１の部分９ａの近くに位置している計時器用部品２を選別／選択する選別／選択デバイス１６を有する。この第１の部分９ａに対するこのような選別／選択デバイス１６の構成によって、この第１の部分９ａがその上面１１から、姿勢が正しくない一又は複数の計時器用部品２を排出することができる。これによって、計時器用部品２が分配領域１３に位置しているときにグリップアーム１０が計時器用部品２を最適に把持することを確実にすることができる。このような選別／選択デバイス１６は、エアコンプレッサーに接続されたエアノズルのような流体を放射／スプレーする少なくとも１つの要素を有する。このボウル３において、分配領域１３の上流、特に、傾斜ランプ５の出口Ｓと上面のミドル部の間に位置している第１の部分９ａの上面にわたって計時器用部品２によってカバーされるトラベル区画において、２つのエアノズルが配置されている。
【００２４】
ボウル３は、さらに、グリップアーム１０による把持の前に、分配領域１３に配置された計時器用部品２を保護する保護デバイスを有する。この保護デバイスは、さらに、エアコンプレッサーに接続されたエアノズルのような流体を放射／スプレーする少なくとも１つの要素を有する。この振動ボウル３において、このエアノズルは、好ましくは、上面に隣接する分配領域１３の前側に配置された上面の部分の近くにあり、これによって、計時器用部品２が分配領域１３内に配置されているときに空気流をこの部分にスプレー／放射することができる。
【００２５】
この振動ボウル３は、さらに、分配領域１３の上に配置された少なくとも２つの計時器用部品２を分離する分離デバイス１７を有することができる。この分離デバイス１７は、固定されたアームにマウントされた少なくとも２つのフレキシブルな要素を、これらのフレキシブルな要素をこの分配領域１３の上に位置させることを目的として、有する。図３に示しているボウル３の変種の実施形態において、このボウル３には、３つのフレキシブルな要素があることができ、それらの自由端は、その自由端の間のギャップが計時器用部品２の体積よりも小さい又は実質的に小さいように配置され、これによって、全体的又は部分的に被覆された油っぽい物質のおかげで互いに接着しているかもしれないこれらの計時器用部品２のうちの２つを分離する。これに関連して、グリップアーム１０によって把持された計時器用部品２は、自動組み立て設備１００において分配され、他の計時器用部品２は、振動ボウル３の囲い４の方に導かれる。
【００２６】
なお、選別／選択デバイスと保護デバイスにおいて空気を使用することによって、計時器用部品２を損傷させずに動かすことができる。
【００２７】
このシステム１において、図示しているように、連接式グリップアーム１０が、計時器用部品２を前記自動組み立て設備１００に分配するように設けられる。
【００２８】
このシステム１は、さらに、制御ユニット２０を有しており、この制御ユニット２０は、ボウル３に、特に、選別デバイス、分離デバイス１７（振動ボウル３の変種に依存する）、存在検出器１４、保護デバイス及び電気機械的要素のようなこのボウル３の部品に、接続している。この制御ユニット２０は、さらに、連接式グリップアーム１０に、そして、このシステム１の計時器用部品２をデバイスに３に供給する供給デバイスに、接続されている。このような制御ユニット２０は、コンピューターであることができ、ハードウェア及びソフトウェアの資源、特に、メモリー素子と相互作用する少なくとも１つのプロセッサー、を有することができる。この制御ユニット２０は、自動組み立て設置１００において計時器用部品２を分配する文脈内において、振動ボウル３とグリップアーム１０の部品をモニタリングするコンピュータープログラムを実装する命令を実行することができる。
【００２９】
これに関連して、このシステム１によって、計時器用部品２の制御された分配のための方法を実装することができる。この方法は、分配されるべき軽く油が塗られた計時器用部品２を振動ボウル３の囲い４内に配置するステップを有する。このステップの間に、制御ユニット２０は、振動ボウル３に計時器用部品２を供給する供給デバイスをモニタリングする。次に、振動ボウル３の機能ステップの間に、制御ユニット２０は、電気機械的要素をアクティブ化して、これによって、振動ボウル３をその固定されたペデスタルに対して振動させて、この傾斜ランプ５に沿って、計時器用部品２が、好ましくは１つずつ、供給プラットホーム８の上面１１上に到来するまで、計時器用部品２を移動させる。これらの計時器用部品２のトラベルの区画上における出口Ｓとこのトラベルの半分までとの間に形成された上面上にて、これらの計時器用部品２は、振動ボウル３の選別／選択デバイス１６から到来する空気流に露出される。これは、連接式グリップアーム１０による把持の前に、計時器用部品２の中で正しい姿勢でないものを分離することを目的としている。そして、このような状況でこの上面から排出される計時器用部品２は、供給プラットホーム８のガイド部分１５によってボウル３の囲い４の方へと系統的に導かれる。一方、まだ上面上にあり、したがって、正しい姿勢である計時器用部品２は、振動の効果によって分配領域１３の方に１つずつ運ばれる。これに関連して、計時器用部品２が分配領域１３に到達すると、存在検出器１４は、この領域１３における計時器用部品２のポジショニングを特定し、このために制御ユニット２０に信号を送信する。そして、この制御ユニット２０は、連接式グリップアーム１０によるこの部品２の把持のプロセスをトリガーさせる。これは、自動組み立て設備１００における部品２の分配の前であって、分配領域１３の近くに配置された上面１１の部分に空気流を放射／スプレーする保護デバイスがトリガーされる前に行われる。これによって、この部分から、把持プロセスの間に分配領域１３の方に導かれることになりそうないずれの計時器用部品２をも排出する。なお、好ましいことに、この計時器用部品２のこのような把持は、振動ボウル３の囲い４の上又は内部で行われる。このことによって、計時器用部品２が落ちてしまっても、その部品２が常にこの囲い４に戻るようにすることができる。
【符号の説明】
【００３０】
１  制御分配システム
２  部品
３  振動ボウル
４  囲い
５  傾斜ランプ
６  壁
７  上側エッジ
８  供給プラットホーム
９ａ  第１の部分
９ｂ  第２の部分
１０  連接式グリップアーム
１１  上面
１２  開口
１３  分配領域
１４  検出デバイス
１５  ガイド部分
１６  選別／選択デバイス
１７  分離デバイス
２０  側方エッジ
１００  自動組み立て設備
Ｓ  出口
【図１】
2019112228.tif 000003
【図２】
2019112228.tif 000004
【図３】
2019112228.tif 000005